(57)【要約】【課題】本発明は、足のタコ、魚の目、膝痛、関節痛などの軽減を目的とし、靴の踵部分をスライド開閉出来る機構を設け、履く作業に靴ベラが不要で、踵部分の足にあたる部分に衝撃緩衝材を貼り付け、踵部分をスライドさせて閉口し、足囲いから、踵までを容易に足に沿わせる事が出来る、履きものを提供する。【解決手段】履きものにおいては、踵部分に入っている芯を樹脂性の芯とし、２つに分かれる機構を持たせ、靴の開口部分を広げ、脱着が容易な履きものを提供する。【選択図】図１
2014161459.tif 000002
【特許請求の範囲】
【請求項１】
靴の踵部分に開閉機能を持たせた、靴ベラ不要で、容易に個々の足に沿った靴の脱着が出来る履きもの。
【発明の詳細な説明】
【技術分野】
【０００１】
本発明は、靴ベラ不要で容易に脱着出来る靴に関する。
【背景技術】
【０００２】
履物においては、個々の足に沿った靴では脱着が困難で、靴ベラなどで強引に履いていた。
したがって、容易に靴を脱着できる靴ベラのような働きをする板状の物を内蔵している靴がある（特許文献１参照）。
【０００３】
しかし、前者の物にあっては、履きもの内に足に沿わない物体があると、痛みを生じるという欠点があった。
【先行技術文献】
【特許文献】
【０００４】
【特許文献１】特開２００３−７０５０２号公報
【発明の概要】
【発明が解決しようとする課題】
【０００５】
本発明は、上述の問題を除去するためになされたものであり、足に沿った履きものを靴ベラ不要で、容易に脱着出来る履きものを提供することを目的としている。
【課題を解決するための手段】
【０００６】
請求項１においては、履きものの踵部分が、皮、又は合成皮革などで被覆した樹脂性の芯で、踵前部分（１）と、踵後部分（２）をストッパー（４）で固定し、解錠板（５）でストッパーを解錠し、回転軸（６）を支点として回転させ、スライド機構（３）によって回転開閉させることが出来る履きものである。
【発明の効果】
【０００７】
本発明は、履きものの履き口を広げる為の、開閉機能を有し、個々の足に沿った履きものを靴ベラ不要で脱着出来る。
【図面の簡単な説明】
【０００８】
【図１】図１は靴の開閉機能を持つ踵部分の閉時の側面図である。
【図２】図２は靴の開閉機能を持つ踵部分の開時の側面図である。
【図３】図３は靴の開閉機能が、回転軸（６）を支点とし、後踵部分（２）を開時の側面図である。
【発明を実施するための形態】
【０００９】
本発明を実施する為の形態を説明する。
【実施例１】
【００１０】
図２は、皮、あるいは合成皮革などで被覆した樹脂性の芯で、踵部分が前踵部分（１）と後踵部分（２）が、開いた状態で、靴ベラ不要で履き、スライド機構（３）によってスライドさせ、ストッパー（４）で容易に踵部分を安定させる履きものである。
【００１１】
図３は、皮、あるいは合成皮革などで被覆した樹脂性の芯で、後踵部分（２）が回転軸（６）を支点として回転開口し、靴ベラ不要で履き、スライド機構（３）によってスライドさせ、ストッパー（４）で容易に踵部分を安定させる履きものである
【符号の説明】
【００１２】
１    皮及び合成皮革などを被覆した樹脂性の芯で踵の前部分
２    皮及び合成皮革などを被覆した樹脂性の芯で踵の後部分
３    踵を開閉させるためのスライド機構部分
４    踵部分の前後の芯を閉時固定させる、ストッパー部分
５    ストッパーを解錠させる機構部分
６    回転開閉させる為の回転軸部分
７    ストッパーと解除機構をつなぐ線
８    靴の底材
９    靴のヒール
１０    靴の中底    
【図１】
2014161459.tif 000003
【図２】
2014161459.tif 000004
【図３】
2014161459.tif 000005
【手続補正書】
【提出日】平成26年5月27日(2014.5.27)
【手続補正１】
【補正対象書類名】明細書
【補正対象項目名】全文
【補正方法】変更
【補正の内容】
【発明の詳細な説明】
【技術分野】
【０００１】
本発明は、靴ベラ不要で容易に脱着出来る靴に関する。
【背景技術】
【０００２】
履物においては、個々の足に沿った靴では脱着が困難で、靴ベラなどで強引に履いていた。
したがって、容易に靴を脱着できる靴ベラのような働きをする板状の物を内蔵している靴がある（特許文献１参照）。
【０００３】
しかし、前者の物にあっては、履きもの内に足に沿わない物体があると、痛みを生じるという欠点があった。
【先行技術文献】
【特許文献】
【０００４】
【特許文献１】特開２００３−７０５０２号公報
【発明の概要】
【発明が解決しようとする課題】
【０００５】
本発明は、上述の問題を除去するためになされたものであり、足に沿った履きものを靴ベラ不要で、容易に脱着出来る履きものを提供することを目的としている。
【課題を解決するための手段】
【０００６】
請求項１においては、履きものの踵部分が、皮、又は合成皮革などで被覆した樹脂性の芯で、踵前部分（１）と、踵後部分（２）をストッパー（４）で固定し、解錠板（５）でストッパーを解錠し、回転軸（６）を支点として回転させ、スライド機構（３）によって回転開閉させることが出来る履きものである。
【０００７】
請求項1においては、踵前部分（１）と踵後部分（２）をゴムなどの収縮機能を有する物質（７）で連結し、踵後部分（２）をスライド機構（３）に沿って開閉できる芯を皮あるいは合成皮革で被覆した履物である。
【発明の効果】
【０００８】
本発明は、履きものの履き口を広げる為の、開閉機能を有し、個々の足に沿った履きものを靴ベラ不要で脱着出来る。
【図面の簡単な説明】
【０００９】
【図１】図１は靴の開閉機能を持つ後踵部分（２）の閉時の側面図である。
【図２】図２は靴の開閉機能を持つ後踵部分（２）の開時の側面図である。
【図３】図３は靴の開閉機能が、回転軸（６）を支点とし、後踵部分（２）が開時の側面図である。
【発明を実施するための形態】
【００１０】
発明を実施する為の形態を説明する。
【実施例１】
【００１１】
図２は、通常の状態（図１）で、足を深めに入れ、踵を押し込むことで、織ゴムの収縮により後踵部分（２）が開き、容易に履くことが出来、織ゴムの収縮力によってスライド機構（３）に沿ってスライドし、容易に踵部分を安定させる履きものである。
【００１２】
図３は、皮、あるいは合成皮革などで被覆した樹脂性等の芯で、後踵部分（２）が回転軸（６）又は支点として回転開口し、靴ベラ不要で履き、スライド機構（３）に沿ってスライドさせ、ストッパー（４）で容易に踵部分を安定させる履きものである
【産業上の利用可能性】
【００１３】
靴ベラが、不要で、かがむ必要がないため、高齢者の生活補助に適用できる。
【符号の説明】
【００１４】
１    靴の踵側の前部分
２    靴の踵側の後方部分
３    踵を開閉させるためのスライド機構
４    前後の踵部分の芯を閉時固定させる、ストッパー部分
５    ストッパーを解錠させる機構部分
６    回転開閉させる為の回転軸及び支点部分
７    収縮機能のあるゴム及びバネ
８    靴の底材
９    靴のヒール
１０    靴の中底  
１１    皮及び合成皮革を被覆した踵カバー  
【手続補正書】
【提出日】平成26年5月27日(2014.5.27)
【手続補正１】
【補正対象書類名】図面
【補正対象項目名】全図
【補正方法】変更
【補正の内容】
【図１】
2014161459.tif 000006
【図２】
2014161459.tif 000007
【図３】
2014161459.tif 000008
【手続補正書】
【提出日】平成26年5月28日(2014.5.28)
【手続補正１】
【補正対象書類名】明細書
【補正対象項目名】全文
【補正方法】変更
【補正の内容】
【発明の詳細な説明】
【技術分野】
【０００１】
本発明は、靴ベラ不要で容易に脱着出来る靴に関する。
【背景技術】
【０００２】
履物においては、個々の足に沿った靴では脱着が困難で、靴ベラなどで強引に履いていた。
したがって、容易に靴を脱着できる靴ベラのような働きをする板状の物を内蔵している靴がある（特許文献１参照）。
【０００３】
しかし、前者の物にあっては、履きもの内に足に沿わない物体があると、痛みを生じるという欠点があった。
【先行技術文献】
【特許文献】
【０００４】
【特許文献１】特開２００３−７０５０２号公報
【発明の概要】
【発明が解決しようとする課題】
【０００５】
本発明は、上述の問題を除去するためになされたものであり、足に沿った履きものを靴ベラ不要で、容易に脱着出来る履きものを提供することを目的としている。
【課題を解決するための手段】
【０００６】
請求項１においては、履きものの踵部分が、皮、又は合成皮革などで被覆した樹脂性の芯で、踵前部分（１）と、踵後部分（２）をストッパー（４）で固定し、解錠板（５）でストッパーを解錠し、回転軸（６）を支点として回転させ、スライド機構（３）によって回転開閉させることが出来る履きものである。
【０００７】
請求項1においては、踵前部分（１）と踵後部分（２）をゴムなどの収縮機能を有する物質（７）で連結し、踵後部分（２）をスライド機構（３）に沿って開閉できる芯を皮あるいは合成皮革で被覆した履物である。
【発明の効果】
【０００８】
本発明は、履きものの履き口を広げる為の、開閉機能を有し、個々の足に沿った履きものを靴ベラ不要で脱着出来る。
【図面の簡単な説明】
【０００９】
【図１】図１は靴の開閉機能を持つ後踵部分（２）の閉時の側面図である。
【図２】図２は靴の開閉機能を持つ後踵部分（２）の開時の側面図である。
【図３】図３は靴の開閉機能が、回転軸（６）を支点とし、後踵部分（２）が開時の側面図である。
【発明を実施するための形態】
【００１０】
発明を実施する為の形態を説明する。
【実施例１】
【００１１】
図２は、通常の状態（図１）で、足を深めに入れ、踵を押し込むことで、織ゴムの収縮により後踵部分（２）が開き、容易に履くことが出来、織ゴムの収縮力によってスライド機構（３）に沿ってスライドし、容易に踵部分を安定させる履きものである。
【００１２】
図３は、皮、あるいは合成皮革などで被覆した樹脂性等の芯で、後踵部分（２）が回転軸（６）又は支点として回転開口し、靴ベラ不要で履き、スライド機構（３）に沿ってスライドさせ、ストッパー（４）で容易に踵部分を安定させる履きものである
【産業上の利用可能性】
【００１３】
靴ベラが、不要で、かがむ必要がないため、高齢者の生活補助に適用できる。
【符号の説明】
【００１４】
１    靴の踵側の前部分
２    靴の踵側の後方部分
３    踵を開閉させるためのスライド機構
４    前後の踵部分の芯を閉時固定させる、ストッパー部分
５    ストッパーを解錠させる機構部分
６    回転開閉させる為の回転軸及び支点部分
７    収縮機能のあるゴム及びバネ
８    靴の底材
９    靴のヒール
１０    靴の中底  
１１    皮及び合成皮革を被覆した踵カバー  
【手続補正書】
【提出日】平成26年6月2日(2014.6.2)
【手続補正１】
【補正対象書類名】特許請求の範囲
【補正対象項目名】請求項１
【補正方法】変更
【補正の内容】
【請求項１】
靴の踵部分において、収縮材の補助で、踵部分が開閉する機構を有する履物。